(57)【要約】【課題】  不正取り出し行為が行われた際に、インレット自身が破損するように改良されたＲＦＩＤインレット、及びこのＲＦＩＤインレットを用いたＲＦＩＤタグ及びＲＦＩＤタグ付きシールを提供することを課題とする。【解決手段】  支持体となるシートと、シート上に設けられたアンテナと、アンテナに接続されたＲＦＩＤ用ＩＣチップとを備えるＲＦＩＤインレットであって、アンテナを構成する線路は、ＩＣチップから開放端へ向かって蛇行しながら延びることで凹んだ形状を成す凹み部が形成されており、シートには、凹み部で囲われる領域内からシート縁部に渡って易破損部が形成されている。このインレットをフィルム状の基材が積層された積層体の間に挟み込みＲＦＩＤタグを形成する。【選択図】      図１
2005227818.tif 000002
【特許請求の範囲】
【請求項１】
支持体となるシートと、前記シート上に設けられたアンテナと、前記アンテナに接続されたＲＦＩＤ用ＩＣチップとを備えるＲＦＩＤインレットであって、
前記アンテナを構成する線路は、前記ＩＣチップから開放端へ向かって蛇行しながら延びることで凹んだ形状を成す凹み部が形成されており、前記シートには、前記凹み部で囲われる領域内からシート縁部に渡って易破損部が形成されていることを特徴とするＲＦＩＤインレット。
【請求項２】
支持体となるシートと、前記シート上に設けられたアンテナと、前記アンテナに接続されたＲＦＩＤ用ＩＣチップとを備えるＲＦＩＤインレットであって、
前記アンテナを構成する線路は、前記ＩＣチップから開放端へ向かって延び、且つ線路の延伸方向を中心線として左右交互に開口する凹み部が形成されており、前記シートには、前記凹み部で囲われる領域内からシート縁部に渡って易破損部が形成されていることを特徴とするＲＦＩＤインレット。
【請求項３】
支持体となるシートと、前記シート上に設けられたアンテナと、前記アンテナに接続されたＲＦＩＤ用ＩＣチップとを備えるＲＦＩＤインレットであって、
前記アンテナを構成する線路は、その縁が内側に入り込んだ凹み部を有し、前記シートには、前記シートの縁部から前記凹み部の開口領域に渡って易破損部が形成されていることを特徴とするＲＦＩＤインレット。
【請求項４】
フィルム状の基材が積層された積層体を成し、請求項１〜３の何れかに記載のＲＦＩＤインレットが前記基材の間に挟み込まれていることを特徴とするＲＦＩＤタグ。
【請求項５】
請求項１〜３の何れかに記載のＲＦＩＤインレットが、基材の最外層に設けられていると共に、前記インレットを覆うように保護層が設けられていることを特徴とするＲＦＩＤタグ。
【請求項６】
請求項１〜３の何れかに記載のＲＦＩＤインレットが基材に積層されていると共に、被貼付物に貼り付けるための粘着剤層が設けられていることを特徴とするＲＦＩＤタグ付きシール。
【発明の詳細な説明】
【技術分野】
【０００１】
本発明は、ＲＦＩＤ用ＩＣチップとアンテナを有するＲＦＩＤインレット、及びこれを実装したＲＦＩＤタグ、ＲＦＩＤタグ付きシールに関する。
【背景技術】
【０００２】
ＲＦＩＤタグは、ＩＣチップに記録された固有の番号を読み取ることで、物流管理、入出退管理、個品管理などを正確且つ効率的に行え、社会のＩＴ化・自動化を推進する上で非常に注目されている。
【０００３】
従来、この種のタグに用いられているＲＦＩＤインレット５００は、図１３に示すように、樹脂シート５２と、このシート５２の表面にメッキやエッチング等で直線状に形成されたアンテナ５０と、このアンテナ５０の中央部に封止樹脂５３を介して接合されたＩＣチップ５１とを備える構造からなり、かかるＲＦＩＤインレット５００を、紙などの基材の間に挟み込んで積層することによってＲＦＩＤタグが提供されている。
かかるＲＦＩＤタグのインレット５００は、その樹脂シート５２が、ポリイミド、ポリエチレンナフタレート（以下ＰＥＮという）、ポリエチレンテレフタレート（以下ＰＥＴという）などのフィルム材から出来ており、且つ厚さも７０μｍ程度と厚いため、数キログラム以上の引張強度を有し、簡単に破損することがない。このため、例えば、ＲＦＩＤタグの基材の積層接着部分を剥がすることによりインレットを露出させ、これを取り出したり、或いは、タグの縁部からインレットの縁部まで基材を分断しつつ、インレットの縁部に沿って基材を取り除く等を行うことにより、インレットを破損させずに取り出すことが可能である。このように不正に取り出されたインレットは、偽造カードなどの作製に供される虞がある。
特に、ＩＣチップとして、例えば特開２００２−１８４８７２等に記載のような書替えが出来ない固有の番号を付与したＩＣチップを備えるＲＦＩＤタグは、大変優れた認証機能を有するので、パスポートなどの個人認証に好適である反面、世の中で唯一無二の番号を有するが故に、却って不正取り出しの対象となり易いと言える。
このように従来のインレットは、取り出し易く且つ再タグ化して不正利用に供されるという問題点がある。この点、ＲＦＩＤタグからインレットの取り出しが行われても、取り出されたインレットが破損していれば、再利用することができず、偽造カード作製などの不正利用を防止することができる。
【０００４】
【特許文献１】特開２００２−１８４８７２
【発明の開示】
【発明が解決しようとする課題】
【０００５】
そこで、本発明は、不正取り出し行為が行われた際に、インレット自身が破損するように改良されたＲＦＩＤインレット、及びこのＲＦＩＤインレットを用いたＲＦＩＤタグ及びＲＦＩＤタグ付きシールを提供することを課題とする。
【課題を解決するための手段】
【０００６】
上記課題を解決するための第１の手段として、本発明は、支持体となるシートと、シート上に設けられたアンテナと、アンテナに接続されたＲＦＩＤ用ＩＣチップとを備えるＲＦＩＤインレットであって、アンテナを構成する線路は、ＩＣチップから開放端へ向かって蛇行しながら延びることで凹んだ形状を成す凹み部が形成されており、シートには、凹み部で囲われる領域内からシート縁部に渡って易破損部が形成されているＲＦＩＤインレットを提供する。
【０００７】
また、本発明の第２の手段は、支持体となるシートと、シート上に設けられたアンテナと、アンテナに接続されたＲＦＩＤ用ＩＣチップとを備えるＲＦＩＤインレットであって、上記アンテナを構成する線路は、ＩＣチップから開放端へ向かって延び、且つ線路の延伸方向を中心線として左右交互に外側へ開口する凹み部が形成されており、シートには、凹み部で囲われる領域内からシート縁部に渡って易破損部が形成されているＲＦＩＤインレットを提供する。
また、本発明の第３の手段は、支持体となるシートと、シート上に設けられたアンテナと、アンテナに接続されたＲＦＩＤ用ＩＣチップとを備えるＲＦＩＤインレットであって、アンテナを構成する線路は、その縁が内側に入り込んだ凹み部を有し、シートには、シートの縁部から凹み部の開口領域に渡って易破損部が形成されているＲＦＩＤインレットを提供する。
【０００８】
さらに、本発明は、上記ＲＦＩＤインレットがフィルム状の基材が積層された積層体の間に挟み込まれてなるＲＦＩＤタグを提供する。また、本発明は、上記ＲＦＩＤインレットが、基材の最外層に設けられ、このインレットを覆うように保護層が設けられてなるＲＦＩＤタグを提供する。さらに、本発明は、上記ＲＦＩＤインレットが基材に設けられていると共に、被貼付物に貼り付けるための貼付剤層が設けられてなるＲＦＩＤタグ付きシールを提供する。
【０００９】
上記ＲＦＩＤインレットは、アンテナ線路に凹み部が形成され、アンテナが形成されたシートに縁部から凹み部に渡って易破損部が形成されているので、シートに引張り応力が加わると、易破損部からシート自体が容易に裂け、これに伴いアンテナも分断される。従って、かかるＲＦＩＤインレットを具備するＲＦＩＤタグ及びＲＦＩＤタグ付きシールは、不正行為者がインレットを取り出そうとして基材を剥離又は分断した際、アンテナが分断されてインレットが破損する。従って、正常なインレットを不正に取り出すことができず、不正に再利用することを防止することができる。
【発明の効果】
【００１０】
本発明のＲＦＩＤインレットは、アンテナの凹み形状とシートの易破損部により脆弱化が図られており、応力が加わることによりアンテナの一部が分断され、インレット自身が破損する。従って、再利用することが困難であり、不正行為を防止することができる。
また、本発明のＲＦＩＤタグやタグ付きシールは、上記インレットを備えているので、これを基材から分離して取り出そうとしても、インレットが破壊する。従って、インレットを再利用して不正行為を防止することができる。特に不正行為の対象となり易い書替えが出来ないＩＣチップを備える場合に好適である。
【発明を実施するための最良の形態】
【００１１】
本発明のＲＦＩＤインレットは、１／２波長型アンテナで機能するものであり、アンテナの長さが共振調整回路としての機能を有しており通信特性に大変重要な影響を与えるものである。最適なアンテナの長さは動作条件により変わるが、アンテナの周囲が空気である場合には、動作周波数のほぼ１／２波長が最適値となり、周囲が誘電体で覆われている場合には誘電体による波長短縮効果があるので、最適アンテナ長はこれより短い長さとなることが知られている。アンテナ長がこれらの値より短くなると急速に通信特性が低下し、通信が不能となる。本発明は、この原理を利用したもので、不正に取り出されたインレットは、その取り出しの際にアンテナの一部分が必ず破損して所定の通信が出来なくなるようにするものである。
以下、図面と共に本発明の実施の形態について説明する。
【００１２】
図１は、本発明のＲＦＩＤインレットの平面図である。図２は、側面図、図３は、図１におけるＡ部拡大図である。ＲＦＩＤインレット１００は、アンテナなどの支持体となるシート１２と、このシート１２の表面に設けられたＡｌ、Ｃｕ、Ｓｎ、Ａｇ、Ａｕ等の単独又は混合物などの金属箔等からなるアンテナ１０と、このアンテナ１０の略中央部に配設されたＩＣチップ１１と、このＩＣチップ１１をアンテナ１０に接合して封止する封止樹脂１３とから構成されている。具体的には、シート１２は、比較的薄い平面短冊状の樹脂フィルムからなり（例えば厚み約５０〜１００μｍ程度）、例えばポリイミド、ＰＥＮ、ＰＥＴなどの樹脂フィルムが用いられている。ＩＣチップ１１は、アンテナ１０の全長の略中央に形成されているＬ字状のスリット部１４の端部に配置されている。アンテナ１０を構成する線路は、ＩＣチップ１１を略中心として左右の開放端側へ向かってそれぞれ延び、その延伸途中で約９０度の角度を以て繰り返して折れ曲げられることにより平面略蛇行状に形成されている。従って、アンテナ１０の線路には、ＩＣチップ１１からアンテナ開放端に向かう間に、延伸方向を中心線とする左右交互に外側へ開口した凹み部１６が複数形成されている。尚、アンテナ１０の全長は、所望する通信距離などに応じて適宜設定されるが、一般には、例えば５０〜６０ｍｍ程度の長さに形成される。
また、シート１２には、シート１２の一部を切断した線状の切り込み部１５が形成されている。この切り込み部１５は、シート１２の縁部から凹み部１６の開口領域を通過し、更に凹み部１６で囲われる領域１６ａ内の所定位置にまで至るように形成されている。尚、切り込み部１５は、ＩＣチップ１１の近傍に位置する複数の凹み部１６にのみ対応してそれぞれ設けられているが、全ての凹み部１６に対応してそれぞれ設けられていてもよいし、アンテナの開放端の近傍に位置する凹み部１６に形成されていてもよい。もっとも、インレット１００に応力が加わってアンテナ１０が分断される際、アンテナ１０をより短く分断して通信特性を低下させるため、少なくともＩＣチップの近傍に位置する凹み部１６に切り込み部１５を設けることが好ましい。
また、特に図示しないが、シート１２に形成される易破損部としては、上記のような線状の切り込み部が好ましいが、例えばミシン目を形成したり、或いはシートの一部を脆弱化したり、或いはシートの厚み方向に略Ｖ字状の刻み目（いわゆるハーフカット）を形成するなどの手段を用いてもよい。
【００１３】
次に、図４は、上記ＲＦＩＤインレットを積層したＲＦＩＤタグの一実施形態の平面図で、図５は、その側面図である。
このＲＦＩＤタグ２００は、上記ＲＦＩＤインレット１００と、このＲＦＩＤインレット１００を挟み込んだ上下一組の基材２１，２２とからなり、ＲＦＩＤインレット１００と基材２１，２２は、接着剤２３にて一体的に積層接着されている。基材２１，２２としては、上質紙、中質紙、更紙、片アート紙などの紙や、汎用的な樹脂シートなどを用いることができる。接着剤２３としては、基材２１，２２とＲＦＩＤインレット１００とを強く接着させるもの、例えば、インレットを不正に取り出すため、基材２１，２２を捲り剥がそうとしても基材２１，２２とインレット１００の層間で剥離を起こさない程度の接着力を有するものが好ましい。例えば、基材２１，２２として紙を用いる場合には、紙とアンテナ１０の両方に強く接着しうる比較的Ｔｇの低い変性ポリエステル樹脂、ポリウレタン系樹脂、オレフィン系樹脂、アイオノマー、塩化ビニル樹脂、塩化ビニル−酢酸ビニル共重合体樹脂、メタクリル樹脂、ＥＶＡ（エチレン−酢酸ビニル共重合体）、セルロース誘導体系樹脂等の単独や混合体などの熱可塑性樹脂からなる接着剤が例示される。また、基材２１，２２として樹脂シートを用いる場合には、ポリエチレン、ポリプロピレン、ポリスチレン、ポリメチルペンテン、エチレン・プロピレン共重合体、エチレン・ブチレン共重合体等のポリオレフィン樹脂系ポリマー、ポリフッ化ビニリデン、ポリテトラフルオロエチレン等のフッ素樹脂系ポリマー、ポリウレタン、フェノール系ポリエーテル、酢酸セルロース、アクリロニトリル系重合体、アミド系樹脂、ポリエステル系樹脂、ガラスエポキシ樹脂、ポリカーボネート、アクリルニトリルブタジエンスチレン、ポリエチレンナフタレート等の単独または混合体などの接着剤が例示される。ＲＦＩＤタグ２００は、カードのような比較的硬いものでもよいし、柔軟なものでもよい。
上記ＲＦＩＤタグ２００は、積層されたインレットを取り出そうとして、ＲＦＩＤタグの縁部から基材を剥がそうとして力を加えると、インレットのシートに形成された易破損部に応力が集中し、易破損部の先端からアンテナの凹み部を横切って該シートが分断されることとなる。このようにアンテナ部分が分断されたＲＦＩＤインレットは、通信特性が低下して実質的に通信不能となり、再利用することが困難となる。従って、不正行為者が、偽造カードなどを作ることを防止することができる。
【００１４】
図６は、ＲＦＩＤタグの他実施形態の側面図である。
この変形例に係るＦＲＩＤタグ３００は、紙や樹脂シートからなる基材３１の表面に、ＲＦＩＤインレット１００が接着剤などを介して固着され、このＲＦＩＤインレット１００の少なくとも表面を被覆するように保護層３２が設けられたものである。保護層３２としては、容易に剥離又は脱落しないもの、例えばポリエチレン、ポリプロピレンなどを用いることができ、公知のコーティング加工にて塗工することができる。また、保護層３２として、例えばマスターバッチなどのような隠蔽性を有するものを用いれば、ＲＦＩＤインレット１００を外部から視認できないタグを作製できるので好ましい。本実施形態のＲＦＩＤタグ３００もインレットを取りだそうとした際に、インレット自身が破損し、再利用することが困難である。
【００１５】
図７は、ＲＦＩＤタグ付きシールの一実施形態の平面図、図８は、その縦断面図である。
このＦＲＩＤタグ付きシール４００は、紙や樹脂シートからなる基材４１の裏面に、ＲＦＩＤインレット１００が接着剤などを介して固着され、この基材４１の裏面残部とＲＦＩＤインレット１００を覆うように粘着剤層４２が塗布されたものである。尚、基材４１の表面側には、必要に応じて商品名などの意匠印刷が施される。基材４１としては、インレット１００と共に壊れやすい比較的脆質のものを用いることが好ましい。例えば、上質紙、中質紙、更紙などの紙、脆質の塩化ビニル樹脂シート、ポリスチレン樹脂シート、合成紙などの他、加熱により３０〜５０％程度収縮するＰＥＴ、ポリスチレン、塩化ビニル、ポリプロピレンなどのフィルムも基材４１として使用することができる。基材４１の厚みは特に限定されないが、例えば上質紙の場合には８０〜１００μｍ程度のものを用いることが好ましい。粘着剤層４２としては、通常のタックラベルで用いている汎用的な粘着剤又はディレードタック型粘着剤などの他、常温で粘着性を示さず且つ加熱されて粘着性を生じる感熱接着剤などを用いることもできる。かかるシール４００は、図９に示すように、例えば、容器のキャップ部の封印シールとして貼り付けるなど適宜被貼付物に貼り付けて使用される。そして、これを剥がそうとした際には、基材と共に、易破損部を通じてインレット１００も複数に分断され、インレット１００の再利用ができなくなる。
尚、粘着剤層４２とインレット１００の間に、樹脂層などを介在させてもよいし、或いは、図４に示すような、基材２２，２１間にインレット１００が積層接着されたＲＦＩＤタグ２００や図６に示すような、保護層３２で被覆されたＲＦＩＤタグ３００などに、粘着剤層を設けることにより、ＲＦＩＤタグ付きシールを構成することもできる。
【００１６】
次に、図１０は、ＲＦＩＤインレットの他の実施形態を示す平面図である。
この変形例に係るインレット１００は、アンテナ１０の凹み部１６が、略Ｖ字状に凹んで形成されているものである。このようにアンテナ線路の凹み部１６が略Ｖ字状でも、上記と同様に、凹み部１６を通じてアンテナ１０の一部は分断される。その他、図示しないが、凹み部１６は、略Ｕ字状や略Ｃ字状などでもよく、アンテナ１０を構成する線路の縁部が内側に入り込むように形成されていれば、その具体的形状は特に限定されない。もっとも、図１に示すような略コの字状や図１０に示すような略Ｖ字状の凹み部１６のように、凹み部１６で囲われる領域に於いて鋭角部分（９０度を含む）が形成されていれば、易破損部に従ってシートが分断される際、その鋭角部分がアンテナの開裂起点となり、アンテナが分断され易くなるので好ましい。
【００１７】
さらに、図１１は、ＲＦＩＤインレットの他の実施形態を示す平面図である。
この変形例に係るインレットは、アンテナ１０の凹み部１６の開口幅が、開放端側とスリット部１４側とで異なっているものであり、凹み部１６の数を減らす場合などに有効な態様である。また、同図（ｂ）は、開放端側に凹み部１６がない、すなわち、チップ１１の近傍位置にのみアンテナ１０の凹み部１６が形成されているものであり、凹み部１６の数を減らすと共にアンテナ形状の単純化を図ることができる。
【実施例】
【００１８】
以下、実施例を示し、本発明を更に詳述する。
実施例１
幅２．５ｍｍ×長さ６０ｍｍ×厚み５０μｍのＰＥＴフィルムの一面に、厚み２０μｍのアンテナを設けた。アンテナは、図１及び図３に示すような形状であり、振れ幅Ｗ１：１．２ｍｍ、線路幅Ｗ２：０．４ｍｍ、凹み部の開口幅Ｗ３：０．４ｍｍ、スリット部の長さＬ１：１０ｍｍ、アンテナ全長Ｌ２：４８ｍｍに形成した。尚、アンテナ形成は圧延アルミ箔を積層したＰＥＴフィルムを用いてエッチング加工により行った。アンテナ全長が４７ｍｍ、４６ｍｍ・・・、３０ｍｍまで、４８ｍｍ〜３０ｍｍまでの間で１ｍｍずつ短く形成した点を除いて、上記と同様にして、アンテナ長が１ｍｍずつ短い１９種類の試験片を作製した。この各試験片のスリット部の端部に、ＩＣチップ（商品名：ミューチップ、日立製作所製）を、市販の封止材を用いて超音波接合技術で接合した。さらに、各試験片の全ての凹み部に、ＰＥＴフィルムの縁部から凹み部の内側にまで、カッターを用いてシートを切断することによって切り込み部を形成した。このようにして得られた１９種類のＲＦＩＤインレットの通信距離をそれぞれ測定したところ、図１２のグラフに示す結果となった。更に、上記各インレットを、２枚の紙（商品名：ハープＳ、１０４．７ｇ／ｍ２、日本製紙製）の間に埋め込むように挟み、市販の接着剤で貼り合わせてタグ化し、同様に通信距離をそれぞれ測定したところ、図１２のグラフに示す結果となった。尚、通信距離は比率で示している。インレット単体及びタグ化したものの何れも、アンテナ長が短くなるに従い、通信距離が短くなった。具体的には、インレット単体の場合、アンテナ全長が第一の通信不可点１１１以下となると通信できなくなり、紙でタグ化したものは、第二の通信不可点１１２以下で通信ができなくなる。このことからインレットを取り出そうとした場合に、アンテナの一部が分断されて短くなると、通信不能又は通信距離が短くなり、ＲＦＩＤインレットとして実質的に再利用できなくなることがわかる。
【００１９】
実施例２
幅２．５ｍｍ×長さ６０ｍｍ×厚み５０μｍのＰＥＴフィルムの一面に、厚み２０μｍのアンテナを設けた。アンテナは、図１及び図３に示すような形状であり、振れ幅Ｗ１：１．２ｍｍ、線路幅Ｗ２：０．４ｍｍ、凹み部の開口幅Ｗ３：０．４ｍｍ、スリット部の長さＬ１：１０ｍｍ、アンテナ全長Ｌ２：４８ｍｍに形成した。尚、アンテナ形成方法やＩＣチップの接合は、実施例１と同様にして行った。さらに、ＰＥＴフィルムの縁部から凹み部の内側にまで、カッターを用いてシートを切断することによって切り込み部を形成した。かかる切り込み部は、図１に示すように、チップから左右開放端へ連なるそれぞれ４箇所の凹み部に形成した。
得られたインレットを、２枚の紙（商品名：ハープＳ、１０４．７ｇ／ｍ２、日本製紙製）の間に挟み込み、接着剤（商品名：バイロンＵＲ８３００、東洋紡績製）で接着し、熱ラミネートプレスして積層一体化することによりＲＦＩＤタグを作製した。
得られたＲＦＩＤタグカードからインレットを取り出すべく、タグの紙を強引に剥離しようと試みたところ、積層したインレットが破損し、通信可能な状態でインレットを取り出すことは極めて困難であった。
【００２０】
実施例３
実施例２と同じインレットを、図９に示すように、紙（商品名：ハープＳ、１０４．７ｇ／ｍ２、日本製紙製）と５μｍ厚の粘着剤層（商品名：オリバインＢＰＳ５２６０、東洋インキ製）で挟み込み、タグ付きシールを作製した。得られたシールをガラス瓶の口部に貼着し、このシールを剥がそうとしたところ、紙と共にインレットが分断され、通信可能な状態でインレットを取り出すことは極めて困難であった。
【００２１】
比較例
幅２．５ｍｍ×長さ６０ｍｍ×厚み５０μｍのＰＥＴフィルムの一面に、厚み２０μｍのアンテナを設けた。アンテナは、図１３に示すような凹み部が形成されていない直線形状であり、その線路幅Ｗ４：２．６ｍｍ、スリット部の長さＬ４：１０ｍｍ、アンテナ全長Ｌ５：５６ｍｍに形成した。尚、アンテナ形成方法及びＩＣチップの接合は、実施例１と同様にして行った。
得られたインレットを、実施例２と同様にして２枚の紙の間に積層一体化することにより、比較例に係るＲＦＩＤタグを作製した。
得られたＲＦＩＤタグカードからインレットを取り出すべく、タグの紙を強引に剥離しようと試みたところ、積層したインレットを破損させることなく、通信可能な状態でインレットを取り出すことができた。
【図面の簡単な説明】
【００２２】
【図１】本発明に係るＲＦＩＤインレットの一実施形態を示す平面図。但し、薄墨塗り部分はアンテナを示す（以下同じ）。
【図２】同側面図。
【図３】図１の丸囲いＡ部の拡大平面図。
【図４】本発明に係るＲＦＩＤタグの一実施形態を示す平面図。
【図５】同側面図。
【図６】本発明に係るＲＦＩＤタグの他の実施形態を示す側面図。
【図７】本発明に係るＲＦＩＤタグ付きシールの一実施形態を示す平面図。
【図８】図７のＢ−Ｂ線断面図。
【図９】タグ付きシールの使用状態を示す一部省略参考図。
【図１０】本発明に係るＲＦＩＤインレットの他の実施形態を示す要部拡大平面図。
【図１１】本発明に係るＲＦＩＤインレットの他の実施形態を示す平面図。
【図１２】アンテナ長と通信距離の関係を示す実測データのグラフ図
【図１３】従来の１／２波長型アンテナを有するインレットの平面図。
【符号の説明】
【００２３】
１００・・・ＲＦＩＤインレット
２００，３００・・・ＲＦＩＤタグ
４００・・・ＲＦＩＤタグ付きシール
１０・・・アンテナ
１１・・・ＩＣチップ
１２・・・シート
１３・・・封止樹脂
１４・・・スリット部
１５・・・切り込み部（易破損部）
１６・・・凹み部
２１，２２，３１，４１・・・基材
２３・・・接着剤
３２・・・保護層
４２・・・粘着剤層
１１１・・・第一の通信不可長さ
１１２・・・第二の通信不可長さ
Ｌ１・・・スリット部の長さ
Ｌ２・・・アンテナの全長
Ｗ１・・・アンテナの振れ幅
Ｗ２・・・アンテナの線路幅
Ｗ３・・・凹み部の開口幅
【図１】
2005227818.tif 000003
【図２】
2005227818.tif 000004
【図３】
2005227818.tif 000005
【図４】
2005227818.tif 000006
【図５】
2005227818.tif 000007
【図６】
2005227818.tif 000008
【図７】
2005227818.tif 000009
【図８】
2005227818.tif 000010
【図９】
2005227818.tif 000011
【図１０】
2005227818.tif 000012
【図１１】
2005227818.tif 000013
【図１２】
2005227818.tif 000014
【図１３】
2005227818.tif 000015